(57)【特許請求の範囲】
【請求項１】
空気圧式材料搬送システムにおける搬送方法であって、前記空気圧式材料搬送システムは、材料の少なくとも１つの供給点（６１）と、前記供給点（６１）に接続可能である材料搬送パイプ（１００）と、搬送中の材料を搬送空気から分離するセパレータ要素（２０）と、少なくとも材料の搬送中に前記搬送パイプ（１００）内に差圧を与える手段（３）とを備え、
前記搬送パイプ（１００）の少なくとも一部が、少なくとも前記材料の搬送中に搬送空気を循環させる回路の部分として接続可能であり、生じ得る閉塞を除去するように、前記搬送空気の循環が、少なくとも一時的に前記回路の少なくとも一部で正常搬送方向に対して逆方向に接続され、前記回路の前記一部は、前記搬送パイプ（１００）の少なくとも一部によって形成され、
前記搬送空気の循環方向は、前記搬送パイプ（１００）の部分において、材料搬送方向における前記セパレータ要素（２０）より前のみで前記逆方向に接続されることを特徴とする、搬送方法。
【請求項２】
搬送空気の少なくとも一部は、前記回路に追加空気を入れるエジェクタデバイス（９）を介して循環させられることを特徴とする、請求項１に記載の搬送方法。
【請求項３】
前記差圧を与える手段（３）の吹出空気の少なくとも一部は、前記エジェクタデバイス（９）の作動媒体として用いられることを特徴とする、請求項２に記載の搬送方法。
【請求項４】
材料供給段階で、前記搬送パイプへの前記供給点から前記搬送パイプ（１００）の少なくとも一部に前記差圧を与える手段（３）で負圧が与えられると共に、前記差圧を与える手段（３）の吹出側の空気の出口チャネルが開くことを特徴とする、請求項１〜３のいずれか１項に記載の搬送方法。
【請求項５】
搬送段階で、前記差圧を与える手段（３）の吹出側における空気の少なくとも主要部分が、前記搬送パイプ（１００）の供給側において前記回路内で循環させられることを特徴とする、請求項１〜４のいずれか１項に記載の搬送方法。
【請求項６】
弁要素（１２８、１２８’、９６）を備える少なくとも１つの空気入口（１０７、１０７’、９３）を介して、前記回路に補給空気が入れられることを特徴とする、請求項１〜５のいずれか１項に記載の搬送方法。
【請求項７】
ゲート／調節要素を備える少なくとも１つの空気出口を介して、前記回路から空気が除去される動作モードを含むことを特徴とする、請求項１〜６のいずれか１項に記載の搬送方法。
【請求項８】
前記搬送パイプ（１００）の少なくとも一部を含む前記回路内の前記空気の循環は、前記回路に配置されるゲート／調節要素によって調節及び／又は制御及び／又は開閉されることを特徴とする、請求項１〜７のいずれか１項に記載の搬送方法。
【請求項９】
少なくとも１つの差圧を与える手段（３）で、前記回路内に負圧が与えられ、前記差圧を与える手段（３）の吸引側が、前記セパレータ要素（２０）に又はそれにつながる空気チャネル（１０５）を介して前記搬送パイプ（１００）に接続されることを特徴とする、請求項１〜８のいずれか１項に記載の搬送方法。
【請求項１０】
少なくとも１つの差圧を与える手段（３）で、前記回路に圧力が与えられ、前記差圧を与える手段（３）の吹出側が前記回路に吹き出すように接続されることを特徴とする、請求項１〜９のいずれか１項に記載の搬送方法。
【請求項１１】
前記回路の少なくとも一部で前記搬送空気の前記循環方向が交互に逆転され、前記一部は、前記搬送パイプ（１００）の少なくとも一部によって形成されることを特徴とする、請求項１〜１０のいずれか１項に記載の搬送方法。
【請求項１２】
前記差圧を与える手段（３）で前記回路に吹出しを行うことによって、前記回路内で搬送空気がさらに循環させられることを特徴とする、請求項１〜１１のいずれか１項に記載の搬送方法。
【請求項１３】
前記回路内で搬送空気を循環させることによって、前記搬送パイプ（１００）の少なくとも一部が空気でフラッシュされ且つ／又は乾燥される動作モードを含むことを特徴とする、請求項１〜１２のいずれか１項に記載の搬送方法。
【請求項１４】
廃棄物供給点である前記供給点（６１）から材料が供給されることを特徴とする、請求項１〜１３のいずれか１項に記載の搬送方法。
【請求項１５】
前記供給点（６１）と前記搬送パイプ（１００）との間に、少なくとも１つの弁要素（６０）があり、前記弁要素（６０）を開閉することによって前記搬送パイプへの材料及び／又は補給空気の供給が調節されることを特徴とする、請求項１〜１３のいずれか１項に記載の搬送方法。
【請求項１６】
前記供給点（６１）と前記搬送パイプ（１００）との間の弁要素（６０）は、次の前記供給点（６１）の前記弁要素（６０）が開かれるときに前の前記供給点の前記弁要素がまだ開いているように、開放の一定時間後に閉じられることを特徴とする、請求項１〜１４のいずれか１項に記載の搬送方法。
【請求項１７】
廃棄物搬送システムの装置であって、前記廃棄物搬送システムは、材料の少なくとも１つの供給点（６１）と、前記供給点（６１）に接続可能である材料搬送パイプ（１００）と、搬送中の前記材料を搬送空気から分離するセパレータ要素（２０）と、少なくとも前記材料の搬送中に前記搬送パイプ（１００）内に差圧を与える手段（３）とを備え、
前記装置は、前記搬送パイプ（１００）の少なくとも一部を備え搬送空気が循環可能である回路と、生じ得る閉塞を除去するように、前記搬送空気の循環を、前記搬送パイプ（１００）の少なくとも一部によって形成される前記回路の少なくとも一部で正常搬送方向に対して逆方向に接続する手段（１１３、１１４、１２２、１２４、１２５、１２６）とを備え、
前記搬送空気の循環方向は、前記搬送パイプ（１００）の部分において、材料搬送方向における前記セパレータ要素（２０）より前のみで前記逆方向に接続されることを特徴とする、装置。
【請求項１８】
前記回路において前記差圧を与える手段（３）の吹出側で前記差圧を与える手段（３）と前記搬送パイプ（１００）との間に配置されるエジェクタデバイス（９）を備え、前記エジェクタデバイスの作動媒体は、前記差圧を与える手段（３）の吹出空気であることを特徴とする、請求項１７に記載の装置。
【請求項１９】
前記エジェクタデバイスは、作動媒体流に別の媒体流を導入するための入口（９３）を備えることを特徴とする、請求項１８に記載の装置。
【請求項２０】
材料供給段階で、前記搬送パイプへの前記供給点から前記搬送パイプ（１００）の少なくとも一部に前記差圧を与える手段（３）で負圧が与えられると共に、前記差圧を与える手段（３）の吹出側の空気の出口チャネルが開くように構成されることを特徴とする、請求項１７〜１９のいずれか１項に記載の装置。
【請求項２１】
前記搬送パイプ（１００）の少なくとも一部を備える前記回路に、前記搬送空気の循環を調節及び／又は制御及び／又は開閉することができるゲート／調節要素が配置されることを特徴とする、請求項１７〜２０のいずれか１項に記載の装置。
【請求項２２】
前記回路の外部から前記回路に空気を入れるために、弁要素（１２８、１２８’、９６）を備える少なくとも１つの空気入口（１０７、１０７’、９３）を備えることを特徴とする、請求項１７〜２１のいずれか１項に記載の装置。
【請求項２３】
前記回路から空気の少なくとも一部を除去するために、ゲート／調節要素を備える少なくとも１つの出口（９３）を備えることを特徴とする、請求項１７〜２２のいずれか１項に記載の装置。
【請求項２４】
前記差圧を与える手段は、少なくとも１つのポンプデバイス（３）を備え、前記ポンプデバイス（３）の吸引側が、前記セパレータ要素（２０）又はそれにつながる空気チャネル（１０５）に接続されることを特徴とする、請求項１７〜２３のいずれか１項に記載の装置。
【請求項２５】
前記差圧を与える手段は、少なくとも１つのポンプデバイス（３）と、前記少なくとも１つのポンプデバイスの吹出側を前記回路に吹き出すように接続する手段とを備えることを特徴とする、請求項１７〜２４のいずれか１項に記載の装置。
【請求項２６】
前記回路内で搬送空気を循環させることによって、前記搬送パイプ（１００）の少なくとも一部を空気でフラッシュし且つ／又は乾燥させる手段を備えることを特徴とする、請求項１７〜２５のいずれか１項に記載の装置。
【請求項２７】
前記供給点（６１）は、廃棄物供給点であることを特徴とする、請求項１７〜２６のいずれか１項に記載の装置。
【請求項２８】
前記供給点（６１）と前記搬送パイプ（１００）との間に、少なくとも１つの弁要素（６０）があり、前記弁要素（６０）を開閉することによって前記搬送パイプへの材料及び／又は補給空気の供給が調節されることを特徴とする、請求項１７〜２７のいずれか１項に記載の装置。
【発明の詳細な説明】
【技術分野】
【０００１】
本発明は、請求項１のプリアンブルに記載の方法に関する。
【０００２】
本発明は、請求項１７に記載の装置にも関する。
【０００３】
本発明は、包括的には、真空搬送システム等の空気圧搬送システムに関し、特に家庭廃棄物の搬送等の廃棄物の収集及び搬送に関する。
【背景技術】
【０００４】
廃棄物を吸引によって配管内で搬送するシステムが既知である。こうしたシステムでは、廃棄物は、吸引によって配管内で長距離にわたって搬送される。特に、異なる施設における廃棄物を搬送する装置が利用される。それらに典型的なのは、差圧を得るために真空装置が用いられ、真空装置において、搬送パイプ内の負圧が真空ポンプ又はエジェクタ装置等の真空発生器で与えられることである。搬送パイプには、通常は少なくとも１つの弁要素があり、弁要素の開閉によって搬送パイプに入る補給空気が調節される。真空搬送システムは通常、特に以下の問題：エネルギー消費が多いこと、配管内の空気流が多いこと、騒音の問題、出口パイプ内の塵及び微粒子といった問題を含む。さらに、従来技術の装置には湿気問題があり得る。湿気は、多くの場合、配管にアクセスして、搬送プロセスを妨げるか又は搬送することが意図される材料に害を与える可能性がある。雨天では、従来技術の装置は、吸引１回あたり外気から例えば１，０００リットルもの水を吸引し得る。これは、腐食及び閉塞に関する問題を引き起こす。さらに、大型のシステムは、複数の別個の補給空気弁の配置を必要としており、これがシステムの複雑性及び費用を増大させる。廃棄物搬送システムでは、全く異なるタイプの材料を搬送することが可能である。それらは、全く異なる特性を有し得る。材料によっては、閉塞の形成のしやすさが極めて高い場合がある。例えば、古紙等が湿っている場合に配管に貼り付く。
【発明の概要】
【発明が解決しようとする課題】
【０００５】
本発明の目的は、既知の構成の欠点が回避される、材料搬送システムに関連する完全に新規の構成を得ることである。本発明の別の目的は、材料供給の騒音問題を低減することができる真空搬送システムに適用可能な構成を提供することである。本発明の付加的な目的は、搬送配管内で形成される閉塞をこれまでよりもより容易に解消及び除去することができる構成を提供することである。さらに他の目的は、システムの出口空気の体積と同時に塵及び微粒子の放出並びに生じ得る悪臭公害を減らすことができる構成を提供することである。
【課題を解決するための手段】
【０００６】
本発明は、材料搬送パイプの少なくとも一部が、搬送空気を循環させることができ、且つ搬送空気の循環方向を逆転させることができる回路に属するという概念に基づく。
【０００７】
本発明による方法は、搬送配管の少なくとも一部が、少なくとも材料の搬送中に搬送空気を循環させる回路の部分として接続可能であり、該方法において、生じ得る閉塞を除去するのに有利なように、搬送空気循環が、少なくとも一時的に回路の少なくとも一部で正常搬送方向に対して逆方向に接続され、回路の一部は、搬送パイプの少なくとも一部によって形成されることを主に特徴とする。
【０００８】
さらに、本発明による方法は、請求項２〜１６に記載のものを特徴とする。
【０００９】
本発明による装置は、搬送配管の少なくとも一部を含む、搬送空気が循環可能である回路を備えること、及び生じ得る閉塞を除去するのに最も有利なように、搬送パイプの少なくとも一部によって形成される回路の少なくとも一部で正常搬送方向に対して逆方向に搬送空気循環を接続する手段を備えることを主に特徴とする。
【００１０】
本発明による装置は、請求項１８〜２８に記載のものをさらに特徴とする。
【００１１】
本発明による構成には、大きな利点が数多くある。搬送空気の少なくとも一部が循環する回路を備えるようにシステムの配管を構成することによって、出口空気の体積を減らすことができる。同時に、システムのエネルギー消費が最小化される。負圧と同時に吹出しを維持することによって、回路内での搬送空気の循環及び搬送パイプ内での材料の搬送を効果的に行うことが可能である。本発明による構成では、出口空気の体積を実質的に減らすことができると同時に、出口パイプ内の塵及び微粒子に関して生じ得る問題を減らすことが可能である。本発明による構成は、従来技術が引き起こす騒音問題も実質的に減らす。配管内に蓄積する水分が最小化され、配管内で空気を循環させることによって配管を乾燥させることができる。内部に吸引される空気の体積が減るため、エネルギー消費も減る。本発明によるシステムの供給点を開閉することによって、材料が搬送パイプに効果的に移送され且つ搬送パイプ内で効果的に搬送されると同時に、システムの動作によって引き起こされる騒音の影響を最小にすることができる。複数の動作エリアすなわち部分回路から成るように材料搬送システムの搬送パイプを構成することによって、搬送配管内の材料の搬送及び搬送パイプへの供給点の中身の排出を効果的に構成することが可能である。搬送空気循環を逆方向に設定することによって、効果的な閉塞除去が提供される。円形配管では、逆方向への搬送空気循環の変更を設定することが容易に可能である。空気循環方向及び／又は圧力及び／又は空気流量を変更することによって、より効果的な閉塞除去を提供することが可能である。
【００１２】
以下では、添付図面を参照して例を用いて本発明を詳細に説明する。
【図面の簡単な説明】
【００１３】
【図１】本発明の一実施形態によるシステムを概略的に示す。
【図１ａ】簡略化した本発明によるシステムの一部を示す。
【図２】第２の動作モードでの本発明の一実施形態によるシステムを概略的に示す。
【図３】第３の動作モードでの本発明の一実施形態によるシステムを概略的に示す。
【図４】第４の動作モードでの本発明の一実施形態によるシステムを概略的に示す。
【発明を実施するための形態】
【００１４】
図１〜図３は、図４に示す本発明の有利な一実施形態による構成で用いることもできる本発明によるシステムの動作モードを示す。
【００１５】
図１は、本発明の一実施形態による空気圧式材料搬送システム、特に廃棄物搬送システムを簡略化した概略図に示す。この図は、材料搬送パイプ１００を示しており、それに沿って少なくとも１つの、通常は複数の供給点６１が配置されている。供給点６１は、搬送することが意図される材料、特に廃材の供給ステーションであり、この供給点から、搬送することが意図される材料、特に家庭廃棄物等の廃材が、搬送システムに供給される。システムは、複数の供給ステーション６１を備えることができ、複数の供給ステーション６１から、搬送することが意図される材料が搬送配管１００、１００Ａ、１００Ｂ、１００Ｃ、１００Ｄ、１００Ｅに供給される。供給ステーション６１は、図中では点で示されており、弁要素６０等の供給ステーションに関連するゲート要素を開閉することによって供給点６１から搬送パイプ１００に材料を搬送することができるようになっている。図１ａは、本発明によるシステムで用いられる供給点６１及びその出口弁６０をより詳細に示している。供給点は、弁の側で搬送パイプ１００又は該搬送パイプ１００に接続しているパイプに接続される。通常、搬送配管は、主搬送パイプ１００を含み、主搬送パイプ１００には、複数の分岐搬送パイプが接続されている可能性があり、複数の供給ステーション６１も接続されている可能性がある。供給された材料は、搬送配管１００、１００Ａ、１００Ｂ、１００Ｃ、１００Ｄに沿ってセパレータデバイス２０に搬送され、セパレータデバイス２０において、搬送中の材料が、例えば落下速度及び遠心力によって搬送空気から分離される。分離された材料は、例えば必要な場合に、セパレータデバイス２０から廃棄物容器５１等の材料容器に、又はさらなる処理のために除去される。材料容器は、図の実施形態のように、廃棄物コンパクタ５０を備えることができ、廃棄物コンパクタ５０を用いてより小さなサイズに圧縮することによって材料が圧密され、廃棄物コンパクタ５０から廃棄物容器５１に材料がさらに搬送される。図１の実施形態では、セパレータデバイス２０には材料出口要素２１、２４が設けられる。分離デバイス２０から、搬送空気チャネル１０５が、搬送パイプ内で負圧を発生させる手段３につながる。図１の実施形態では、負圧を発生させる手段は真空ポンプユニット等のポンプデバイス３を含む。負圧を発生させる手段によって、材料の搬送に必要な負圧が搬送配管１００及び／又はその一部に与えられる。真空ポンプユニット３は、アクチュエータ３１によって作動される真空ポンプ３０を備える。システムは、搬送配管１００、１００Ａ、１００Ｂ、１００Ｃ、１００Ｄ、１００Ｄ、１００Ｅの少なくとも一部によって一部が形成される回路内で搬送空気を循環させる手段を備える。図１の実施形態では、搬送配管１００は、弁要素ＶＢ、ＶＣ、ＶＤ、すなわちエリア弁によって動作エリア又は部分回路１００Ａ、１００Ｂ、１００Ｃ、１００Ｄ、１００Ｅに分割可能である。
【００１６】
図１は、弁要素ＶＤが閉じていることにより搬送空気が回路内で循環不可能である状況を示している。真空発生器３の吸引側が直接又は搬送空気チャネル１０５を用いて少なくとも１つのセパレータデバイス２０、２０’に接続されており、これに搬送パイプ１００の送出端も接続されており、少なくとも材料搬送方向において少なくとも１つの弁、図１では弁ＶＤとセパレータデバイス２０との間にある回路の部分に対して搬送パイプ内に負圧が与えられる。材料の搬送方向及び空気の進行方向は、図１に矢印で示されている。負圧は、セパレータデバイス２０と真空発生器３との間の回路の部分、すなわち搬送空気チャネル１０５内にも生じ、図の実施形態では、第２のセパレータデバイス２０’、すなわちダストセパレータ及びそこから真空発生器３まで延びる搬送空気チャネル１０５の部分にも生じる。この図による場合、供給点６１でその弁要素６０を開くと、搬送することが意図される材料部分が、搬送パイプ１００Ａ、図では搬送パイプの部分１００Ｄに搬送され、さらにセパレータデバイス２０に搬送される。搬送パイプ内で得られる補給空気は、例えば弁６０を開くと供給点６１を経て搬送パイプに入る。
【００１７】
図１の実施形態におけるポンプデバイス３の真空ポンプ３０の吹出側は、当該動作モードでエジェクタデバイス９に吹出しを行うように構成される。エジェクタデバイス９は、エジェクタデバイス９のエジェクタノズル９１がポンプデバイスの吹出側から通じるチャネル１１０に接続されるように、ポンプデバイス３と搬送配管１００との間に配置される。この場合、真空発生器等のポンプデバイス３の吹出側の搬送媒体、通常は空気が、エジェクタ９の作動媒体として働く。エジェクタデバイス９は、エジェクタパイプ９２を備え、エジェクタパイプ９２内に媒体スプレーを向けるようにエジェクタノズル９１が配置される。エジェクタデバイスは、チャンバ空間９４を備え、チャンバ空間９４には、エジェクタノズル９１と、エジェクタパイプ９２の第１の端と、チャンバ空間９４の外部の接続を開閉可能にするフィッティング９３とが配置される。エジェクタノズル９１がエジェクタパイプ９２内に媒体を吹き付けると、吸引が行われてフィッティング９３を介して媒体と共に追加空気を吸い込む。エジェクタデバイス９の吹出側９５は、搬送パイプ１００又は搬送パイプにつながるチャネル１１０に接続される。エジェクタデバイスの動作原理は、当業者にそれ自体が既知であると考えられるため、より詳細には説明しない。エジェクタ９の影響から、フィッティング９３を介した追加空気流により、ポンプデバイス３によって吹き出される主流で通常は２０％〜６０％の範囲のかなりの増加が得られる。したがって、ポンプデバイス３及びエジェクタ９の組み合わせで、搬送空気流の増加が得られ、これによってポンプの吹出側での過圧並びに／又はポンプデバイスの吸引側での負圧及び／若しくは吸引作用を効果的に与えることが可能である。フィッティング９３には、弁要素９６及びダストフィルタ等のフィルタ要素９７が配置される。場合によっては、フィッティング９３は、出口チャネルとしても働き得る。
【００１８】
エジェクタ９の吹出側から、例えば空気チャネル１１０を介して搬送パイプ１００の供給側への接続が構成される。吹出側の空気チャネル１１０には、弁要素１２２が配置され、弁要素１２２は、閉じられると、吹出側が搬送パイプ１００の通常時の供給側に接続されるのを防止する。
【００１９】
システムの動作は、所望の動作エリアの供給点の中身を排出するために、搬送パイプ１００のその動作エリアに関して材料搬送方向における搬送空気の供給側すなわち吸引側で、少なくとも１つの弁が開かれることにより、吸引がその動作エリアの搬送パイプに影響を及ぼすことができるように制御される。この図による構成において、搬送パイプエリア１００Ｄの供給点６１の中身を排出すべきであると仮定する。この場合、搬送方向におけるセパレータ要素２０と搬送パイプ１００（図中の搬送パイプの部分１００Ｄ）の動作エリアとの間のすべてのエリア弁が開かれる（図中の弁１２６）。続いて、少なくとも１つの真空発生器３によって与えられる吸引が、動作エリアの搬送配管１００Ｄ内に生じる。搬送パイプ１００の吹出側の少なくとも１つの弁ＶＤが閉じられることにより、動作エリアに吸引のみが生じる。動作エリアの供給点６１又はそれらの少なくとも一部の中身が排出され、搬送パイプの搬送方向において送出端に最も近い、すなわちこの図による実施形態ではセパレータデバイス２０に最も近い、搬送パイプ１００Ｄへの供給点６１（Ｉ）の接続が最初に開かれることにより、材料が第１の供給点から搬送パイプに移るようになっており、搬送パイプへの第１の供給点（Ｉ）の接続が閉じる前に、搬送パイプへの次の供給点６１（ＩＩ）の接続が開かれる。図の実施形態では、これは、材料搬送方向とは逆に進む方向に見た場合、中身を排出することが意図される次の供給点６１（ＩＩ）である。この後で、搬送パイプへの第１の供給点６１（Ｉ）の接続が閉じられる。同様に、搬送パイプへの中身を排出することが意図される第３の供給点６１（ＩＩＩ）の接続が、搬送パイプへの第２の供給点６１（ＩＩ）の接続が閉じられる前に開かれる。すべての所望の供給点の中身が排出されるまでこの動作が繰り返される。図中、搬送パイプエリア１００Ｄのすべての供給点６１の中身を排出することが考えられているため、搬送パイプ１００、１００Ｄに対するそれらの排出順序は、図中で括弧内の数字（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、（ＸＩ）及び（ＸＩＩ）で示されている。動作エリアで中身を排出することが意図される、搬送パイプ１００への最後の供給点６１（ＸＩＩ）の通路が開かれ、材料が搬送パイプ１００、１００Ｄに移り、搬送パイプへの供給点の通路が閉じられると、動作エリアと搬送パイプ１００への吹出しを行うポンプデバイス３との間にある少なくとも１つの弁要素ＶＤを開くことによって、吹出し側から動作エリアの搬送パイプ１００Ｄの接続が開かれる。続いて、強力な搬送作用（吸引及び吹出しの両方）が、搬送パイプ１００、１００Ａ、１００Ｂ、１００Ｃ、１００Ｄ内で移送される搬送中の材料に対して与えられる。搬送空気が、図中の矢印で示す経路で循環するため、供給点から搬送パイプに搬送される材料部分は、さらにセパレータデバイス２０へと搬送配管内を移動し、搬送中の材料はセパレータデバイス２０において搬送空気から分離される。図中、動作エリアの搬送パイプ１００Ｅのエリア弁ＶＥが閉じられていることにより、搬送空気は、動作エリアの搬送パイプ１００Ｅにアクセスできないが、搬送パイプ１００Ａ、１００Ｂ、１００Ｃ、１００Ｄを経て、そのエリアの搬送パイプの経路で循環する。異なる動作エリアの中身を排出することに関連して、動作エリアからセパレータ要素２０等の送出ステーションまでの材料搬送経路は、所望の搬送経路に沿ってエリア弁を開いたままにすることによって最適化され得る。
【００２０】
図２は、搬送空気が回路内で循環可能である本発明によるシステムの動作モードを示しており、回路の一部は、搬送パイプ１００の少なくとも一部によって形成され、回路には、図の実施形態でセパレータデバイス２０と、搬送空気チャネル１０５と、存在する場合は第２のセパレータデバイス２０’と、真空発生器の吹出側から搬送パイプ１００の供給側への空気チャネル１１０とが属している。真空発生器３は、回路内で空気を循環させるように、且つ搬送パイプ１００内に、少なくともその送出側に、すなわち搬送方向においてセパレータ要素２０の側の端に吸引作用を与えるように構成される。図の実施形態によれば、真空発生器３は、図中では空気チャネル１１０及びエジェクタデバイス９を介して、搬送パイプ内に吹出作用を与えるようにも構成される。搬送パイプ１００の１つ又は複数のエリア弁、図中ではエリア弁ＶＢ、ＶＣ、ＶＤと、弁１２２及び１２６とが開放位置にあることにより、供給パイプ１００の少なくとも一部によって一部が形成される回路内で搬送空気が循環可能であるため、１つ又は複数の供給ステーション６１から搬送パイプに供給される材料部分がセパレータデバイス２０に向かって移動する。エジェクタデバイスにおいて、ポンプデバイスが発生させる主流にフィッティング９３から入る追加流が組み合わせられるが、この追加流は、エジェクタデバイスが与える吸引によってフィッティング９３からエジェクタに導入されてエジェクタにおいて主流と混合される。この場合、ポンプデバイスとエジェクタとの併用で、その供給側で回路に極めて効果的な吹出作用が与えられ、セパレータ要素の側すなわち戻り側で吸引作用が与えられる。
【００２１】
図３は、図の実施形態ではエジェクタ９のフィッティング９３である出口チャネルへの接続が弁９６によって閉じられているシステムの動作モードを示している。この場合、ポンプデバイス３の吹出側から空気チャネル１１０を経て搬送パイプ１００の供給側に接続がある。ポンプデバイスは、搬送配管によって一部分が形成される回路内で空気を循環させる。図の実施形態では、少なくとも１つのフィッティング１０７、１０７’も配置されており、フィッティング１０７、１０７’には弁１２８、１２８’があり、弁１２８、１２８’を開くことによって回路の外部からポンプデバイス３の吸引側に追加空気を入れることができる。弁１２８、１２８’を開くことによって、必要であれば搬送パイプ内の空気の圧力を上昇させ、且つ回路内の吹出作用を高めることが可能である。図の実施形態では、少なくとも１つのフィッティング１０７、１０７’の弁１２８、１２８’が開かれることにより、回路の外部からポンプデバイス３の吸引側に追加空気を入れることが可能である。この場合、弁１２８、１２８’を開くことによって、必要であれば搬送パイプ内の空気の圧力を上昇させ、且つ搬送空気の搬送速度を高めることが可能である。図３の実施形態は、配管のエアフラッシングに特に有効に適用可能である。図の実施形態では、配管を乾燥させることも可能である。この場合、真空発生器によって、有利には吸引側よりも高い流量が圧力側に与えられる。空気が圧縮時に温まることにより、乾燥プロセスも促進される。
【００２２】
図の実施形態では、入口空気フィッティング１０７は、空気の循環方向において、少なくとも１つのセパレータデバイス２０と真空発生器３等のポンプデバイスとの間にある。この場合、弁１２８を開くことによって、必要であれば搬送パイプ内の空気の圧力を上昇させ、且つ流量を増加させることが可能である。
【００２３】
真空ユニットの真空ポンプ内等で、空気が圧縮時に温まることにより、加熱された空気が配管内を循環するときに同時に乾燥プロセスが促進される。エアフラッシング及び乾燥によって、搬送配管内の材料粒子の搬送を改善することができる。他方では、搬送配管内で水分が形成されて材料の搬送を妨げるのを防止することも可能である。さらに、配管内に残っている材料粒子を、セパレータデバイス２０、２０’に、さらに材料容器５１へより効果的に搬送することがこの場合は可能であるため、それらの材料粒子によって引き起こされる可能性のある悪臭公害を最小にすることができる。強力なエアフラッシングを用いることによって、配管を清潔に保ちやすい。エアフラッシングは、配管で行われ得る洗浄後の装置のリコミッショニングも迅速化する。目的用途に応じて、配管での吹出し及び／又は吸引を行うように複数のポンプデバイスが接続され得ることにより、配管内での空気循環をさらに促進することが可能である。
【００２４】
図４は、搬送空気の循環方向を少なくとも回路の一部で逆転させることができる動作モードがある、本発明によるシステムのさらなる実施形態を示す。これは、例えば、搬送配管１００、１００Ａ、１００Ｂ、１００Ｃ、１００Ｄ、１００Ｅ内で閉塞が形成された機能不良が生じ得る状況で利用することができる。搬送パイプには、供給側にセパレータデバイス２０から距離を置いて弁要素１２６が配置され、セパレータ要素に対して弁要素１２６の逆側には、ポンプデバイス３の吹出側を接続可能である空気チャネル１１３が配置される。同様に、吹出側の空気チャネル１１０には、弁要素１２２が配置され、弁要素１２２は、閉じられると、ポンプデバイス３の少なくとも吹出側が搬送パイプ１００の通常時の供給側に接続されるのを防止する。このように、真空ユニット等のポンプデバイス３の吹出側から搬送配管１００の逆転時の供給側まで、空気チャネル１１３等の中間通路が配置される。搬送パイプには、搬送パイプのうち弁要素１２６とセパレータデバイス２０との間の部分に接続されるか又は直接セパレータデバイスに接続されるチャネル部１１４が形成されることにより、回路の一部のみで、主に搬送パイプ１００の部分で、搬送空気の循環方向が逆転させられる。この場合、正常循環方向に関して生じ得る閉塞がそれらの供給点に対して及び正常循環方向に対して「逆に」吸引される。搬送方向の順逆を変更することによって、生じ得る閉塞点に逆方向からパルスを与えることが可能であり、これは閉塞を除去してシステムを正常モードに戻すのに役立つ。
【００２５】
したがって、本発明は、廃棄物搬送システム等の空気圧式材料搬送システムの方法であって、搬送システムは、材料、特に廃材の少なくとも１つの供給点６１と、該供給点６１に接続可能である材料搬送パイプ１００と、搬送中の材料を搬送空気から分離するセパレータデバイス２０と、少なくとも材料の搬送中に搬送パイプ１００内に差圧を与える手段３とを備える、方法に関する。当該方法において、搬送配管１００の少なくとも一部が、少なくとも材料の搬送中に搬送空気を循環させる回路の部分として接続可能であり、生じ得る閉塞を除去するのに有利なように、搬送空気循環が、少なくとも一時的に回路の少なくとも一部で正常搬送方向に対して逆方向に接続され、回路の一部は、搬送パイプ１００の少なくとも一部によって形成される。
【００２６】
有利な一実施形態によれば、搬送空気の少なくとも一部は、回路に追加空気を入れるエジェクタデバイス９を介して循環させられる。
【００２７】
有利な一実施形態によれば、ポンプデバイス３の吹出空気の少なくとも一部は、エジェクタデバイス９の作動媒体として用いられる。
【００２８】
有利な一実施形態によれば、材料供給段階で、搬送パイプへの供給点から搬送配管１００の少なくとも一部にポンプデバイスで負圧が与えられることにより、ポンプデバイス３の吹出側のフィッティング９３等の出口空気チャネルが開かれる。
【００２９】
有利な一実施形態によれば、ポンプ３の吹出側における空気の少なくとも主要部分が、搬送パイプ１００の供給側において回路内で循環させられる。
【００３０】
有利な一実施形態によれば、該方法において、有利には弁要素１２８、１２８’、９６を備える少なくとも１つの空気入口１０７、１０７’、９３を介して、回路に補給空気が入れられる。
【００３１】
有利な一実施形態によれば、該方法は、有利には弁要素９６等のゲート／調節要素を備えるフィッティング９３等の少なくとも１つの空気出口を介して、回路から空気が除去される動作モードを備える。
【００３２】
有利な一実施形態によれば、搬送配管１００の少なくとも一部を含む回路内の空気の循環は、回路に配置される弁要素１２２、１２４、１２５、１２６、１２７、ＶＢ、ＶＣ、ＶＤ等のゲート／調節要素によって調節及び／又は制御及び／又は開閉される。
【００３３】
有利な一実施形態によれば、該方法において、少なくとも１つのポンプデバイス３で、回路内に負圧が与えられ、ポンプデバイス３の吸引側が、セパレータ要素２０に又はそれにつながる空気チャネル１０５を介して搬送パイプ１００に接続される。
【００３４】
有利な一実施形態によれば、該方法において、吹出側が回路に吹き出すように接続される少なくとも１つのポンプデバイス３で、回路に圧力が与えられる。
【００３５】
有利な一実施形態によれば、該方法において、回路の少なくとも一部で搬送空気循環の方向が交互に逆転され、該一部は、搬送パイプ１００の少なくとも一部によって形成される。
【００３６】
有利な一実施形態によれば、該方法において、真空発生器及び／又はブロワ等のポンプデバイス３で回路に吹出しを行うことによって、該回路内で搬送空気も循環させられる。
【００３７】
有利な一実施形態によれば、該方法は、回路内で搬送空気を循環させることによって、特にポンプデバイス３で回路に吹出しを行うことによって、搬送配管１００の少なくとも一部が空気でフラッシュされ且つ／又は乾燥される動作モードを備える。
【００３８】
有利な一実施形態によれば、該方法において、廃棄物入れ又は廃棄物シュート等の廃棄物供給点である材料供給点６１から材料が供給される。
【００３９】
有利な一実施形態によれば、材料供給点６１と搬送パイプ１００との間に、少なくとも１つの弁要素６０があり、該弁要素６０を開閉することによって搬送パイプへの材料及び／又は補給空気の供給が調節される。
【００４０】
有利な一実施形態によれば、材料供給点６１と搬送パイプ１００との間の弁要素６０は、次の供給点６１の弁６０が開かれるときに前の供給点の弁がまだ開いているように、有利には開放の一定時間後に閉じられる。
【００４１】
本発明はまた、廃棄物搬送システム等の空気圧式材料搬送システムの装置であって、搬送システムは、材料、特に廃材の少なくとも１つの供給点６１と、該供給点６１に接続可能である材料搬送パイプ１００と、搬送中の材料を搬送空気から分離するセパレータデバイス２０と、少なくとも材料の搬送中に搬送パイプ１００内に差圧を与える手段３とを備える、装置にも関する。該装置は、搬送配管１００の少なくとも一部を備え搬送空気が循環可能である回路を備え、生じ得る閉塞を除去するのに最も有利なように、搬送パイプ１００の少なくとも一部によって形成される回路の少なくとも一部で正常搬送方向に対して逆方向に搬送空気循環を接続する手段１１３、１１４、１２２、１２４、１２５、１２６を備える。
【００４２】
有利な一実施形態によれば、該装置は、回路においてポンプデバイス３の吹出側で該ポンプデバイス３と搬送パイプ１００との間に配置されるエジェクタデバイス９を備え、該エジェクタデバイスの作動媒体は、ポンプデバイス３の吹出空気である。
【００４３】
有利な一実施形態によれば、エジェクタデバイスは、作動媒体流に別の媒体流を導入するためのフィッティング９３を備える。
【００４４】
有利な一実施形態によれば、材料供給段階で、搬送パイプへの供給点から搬送配管１００の少なくとも一部にポンプデバイスで負圧が与えられることにより、該ポンプデバイス３の吹出側のフィッティング９３等の出口空気チャネルが開かれるように構成される。
【００４５】
有利な一実施形態によれば、搬送配管１００の少なくとも一部を含む回路に、搬送空気の循環を調節及び／又は制御及び／又は開閉することができる弁要素１２２、１２１、１２２、１２５、１２６、１２７、ＶＢ、ＶＣ、ＶＤ等のゲート／調節要素が配置される。
【００４６】
有利な一実施形態によれば、該装置は、回路の外部から該回路に空気を入れるために、有利には弁要素１２８、１２８’、９６を備える少なくとも１つの空気入口１０７、１０７’、９３を備える。
【００４７】
有利な一実施形態によれば、該装置は、回路から空気の少なくとも一部を除去するために、有利には弁要素９６等のゲート／調節要素を備える少なくとも１つの空気出口９３を備える。
【００４８】
有利な一実施形態によれば、差圧を与える手段は、少なくとも１つのポンプデバイス３を備え、ポンプデバイス３の吸引側がセパレータ要素２０又はそれにつながる空気チャネル１０５に接続される。
【００４９】
有利な一実施形態によれば、差圧を与える手段は、少なくとも１つのポンプデバイス３と、少なくとも１つのポンプデバイスの吹出側を回路に吹き出すように接続する手段とを備える。
【００５０】
有利な一実施形態によれば、該装置は、回路内で搬送空気を循環させることによって、特に吹出しを行うことによって、搬送配管１００の少なくとも一部を空気でフラッシュし且つ／又は乾燥させる手段を備える。
【００５１】
有利な一実施形態によれば、材料供給点６１は、廃棄物入れ又は廃棄物シュート等の廃棄物供給点である。
【００５２】
有利な一実施形態によれば、供給点６１と搬送パイプ１００との間に、少なくとも１つの弁要素６０があり、該弁要素６０を開閉することによって搬送パイプへの材料及び／又は補給空気の供給が調節される。
【００５３】
さらに別の有利な一実施形態によれば、該方法において、回路の少なくとも一部で搬送空気循環の方向が交互に逆転され、該一部は、搬送パイプ１００の少なくとも一部によって形成される。この場合、生じ得る閉塞にパルスが与えられることで閉塞の解消が容易になる。閉塞の除去を促進するために、空気循環の方向逆転と共に変わり得る圧力及び流量に影響を与えることも可能である。
【００５４】
真空ユニット３によって図中ではセパレータ要素２０の側から搬送パイプ１００に与えられる吸引が、有利には吹出しよりも大きいことにより、搬送が負圧下で行われる。吸引が吹出しよりも大きいと、配管内で負圧が得られることにより、供給ステーション６１のファンネルから配管内に廃棄物を吸引させることができる。
【００５５】
本発明によるシステムの目標であるように、吸引が吹出しよりも大きいと、搬送パイプに供給される材料、特に廃材が圧縮及び圧密されることがなく、搬送空気によって搬送されてパイプ内で「自由に」進むことが可能になる。この場合、吹出しが吸引よりも大きいことにより搬送中の材料が蓄積して搬送パイプを塞ぐ危険がある状況よりも、搬送中の材料が閉塞をもたらす可能性が大幅に低くなる。さらに、搬送方向の側で搬送中の材料部分に関して部分的な負圧でさえも特に空気抵抗を大幅に減らすため、材料の搬送に必要な力が負圧によって減る。図中、矢印が、動作モードでの配管内の空気の移動方向を示している。
【００５６】
供給点６１の出口弁６０は、適当なサイズの材料部分が供給点６１から搬送パイプ１００に搬送されるように開閉される。材料は、廃棄物容器等の供給点６１から供給され、容器が満杯になった後で、出口弁６０が自動又は手動で開かれる。
【００５７】
本発明によるシステムの目標であるように、吸引が吹出しよりも大きいと、搬送パイプに供給される材料、特に廃材が圧縮及び圧密されることがなく、搬送空気によって搬送されてパイプ内で「自由に」進むことが可能になる。この場合、吹出しが吸引よりも大きいことにより搬送中の材料が蓄積して搬送パイプを塞ぐ危険がある状況よりも、搬送中の材料が閉塞をもたらす可能性が大幅に低くなる。さらに、搬送方向の側で搬送中の材料部分に関して部分的な負圧でさえも特に空気抵抗を大幅に減らすため、材料の搬送に必要な力が負圧によって減る。図中、矢印が、動作モードでの配管内の空気の移動方向を示している。
【００５８】
供給点６１の出口弁６０は、適当なサイズの材料部分が供給点６１から搬送パイプ１００に搬送されるように開閉される。材料は、廃棄物容器等の供給点６１から供給され、容器が満杯になった後で、出口弁６０が自動又は手動で開かれる。
【００５９】
システムは通常、以下のように動作する。少なくとも１つのセパレータデバイス２０、２０’の出口ハッチ２１、２１’が閉じられて、主搬送パイプ１００とセパレータデバイス２０との間の弁１２６が開かれる。ポンプユニット３は、主搬送パイプ１００内の負圧を維持する。
【００６０】
供給点６１すなわち廃棄物容器の付近にある出口弁６０は、すべて閉じている。開始状況１００では、弁ＶＤが閉じている。
【００６１】
搬送パイプ１００の動作エリア１００Ｄの回路に属する供給点６１の廃棄物容器の中身を排出すると仮定する。排出信号に基づいて、出口弁６０が一時的に、例えば２秒間〜１０秒間開かれることにより、廃材等の搬送中の材料が、負圧の影響によって搬送パイプ１００Ｄに移る。出口弁６０は通常、開始状況の数秒後に閉じられる。真空ポンプユニット３は、所望の負圧を維持する。弁ＶＤが開かれることにより、配管の回路内で空気循環が得られ、おそらく吹出作用すなわち圧力作用及び吸引作用も得られ、吹出作用が搬送中の材料部分を配管に沿ってセパレータデバイス２０に搬送する。１つ又は複数の供給点６１の中身が排出される。有利な一実施形態によれば、搬送方向においてセパレータデバイス２０に最も近い所望の動作エリアの供給点の１つの中身が最初に排出され、続いて次に最も近い供給点等、所望の供給点の中身が排出されるまで行われる。
【００６２】
セパレータデバイス２０が満杯になると、搬送パイプ１００の弁１２６が閉じて制御弁２３が開くことにより、セパレータデバイスの出口ハッチ２１のアクチュエータ２４が出口ハッチ２１を開き、セパレータデバイス内に蓄積している材料の中身がコンパクタデバイス５０内に、さらに廃棄物容器５１内に排出される。セパレータデバイス２０の出口ハッチ２１が閉じられ、弁１２６が開かれる。
【００６３】
この後で、開始状況に戻り、排出プロセスを繰り返してもよく、又は他の何らかの１つ又は複数の供給点の中身の排出を実施してもよい。
【００６４】
廃棄物貨物容器等の廃棄物容器５１は、満杯になると交換されるか又は中身を排出される。
【００６５】
システムは、例えば材料の種類又はシステムの容量に基づいて材料搬送が制御される、いくつかのセパレータデバイス２０、２０’も備え得る。
【００６６】
本発明が上述の実施形態に限定されるのではなく、添付の特許請求の範囲内で変更できることは当業者には明らかである。必要であれば、本明細書に記載された可能性のある特徴と共に他の特徴は、互いに別個に使用することもできる。
【図１】
0005567493.tif 000002
【図１ａ】
0005567493.tif 000003
【図２】
0005567493.tif 000004
【図３】
0005567493.tif 000005
【図４】
0005567493.tif 000006